(57)【要約】【課題】熱交換器の熱交換効率を向上させることのできる冷凍空調装置を得る。【解決手段】後壁１３、後壁１３の両端に垂直に連なる側壁１４、及び後壁１３と対向する前壁１５を有し、後壁１３及び側壁１４に吸込口１６が形成された箱型の本体ケース１０と、吸込口１６から本体ケース１０内に空気を吸引する複数の送風機２０と、本体ケース１０内に設けられ、吸込口１６から送風機２０に至る空気の風路上に配置された凝縮器３０とを備え、凝縮器３０は、後壁１３の内側に沿って設けられ後壁１３よりも幅の狭い後部３１、及び後部３１の幅方向の両側それぞれから前壁１５に向かって延び、後部３１に対して鈍角に傾斜して配置された側部３２を有する。【選択図】図３
2014134359.tif 000002
【特許請求の範囲】
【請求項１】
第一壁部、前記第一壁部の両端に垂直に連なる第二壁部、及び前記第一壁部と対向する第三壁部を有し、前記第一壁部及び前記第二壁部に吸込口が形成された箱型の本体ケースと、
前記吸込口から前記本体ケース内に空気を吸引する複数の送風機と、
前記本体ケース内に設けられ、前記吸込口から前記送風機に至る空気の風路上に配置された熱交換器とを備え、
前記熱交換器は、前記第一壁部の内側に沿って設けられ前記第一壁部よりも幅の狭い第一部分、及び前記第一部分の幅方向の両側それぞれから前記第三壁部に向かって延び、前記第一部分に対して鈍角に傾斜して配置された第二部分を有する
ことを特徴とする冷凍空調装置。
【請求項２】
前記複数の送風機それぞれの吸引面から前記熱交換器までの距離が同じである
ことを特徴とする請求項１記載の冷凍空調装置。
【請求項３】
前記複数の送風機のすべての吸引面は、前記熱交換器の前記第一部分と対面するように配置されている
ことを特徴とする請求項２記載の冷凍空調装置。
【請求項４】
前記複数の送風機のうち一部の送風機は、その吸引面が前記熱交換器の前記第一部分と対面するように配置され、
前記複数の送風機のうち残りの送風機は、その吸引面が前記熱交換器の前記第二部分と対面し、かつ前記一部の送風機よりも前記第一壁部から離れた位置に配置されている
ことを特徴とする請求項２記載の冷凍空調装置。
【請求項５】
前記複数の送風機のうち一部の送風機は、その吸引面が前記熱交換器の前記第一部分と対面するように配置され、
前記複数の送風機のうち残りの送風機は、その吸引面が前記熱交換器の前記第二部分と対面するように配置されており、
前記複数の送風機のすべては、各送風機を前記熱交換器からの距離が等しくなるように配置した場合の、前記第一壁部と前記第三壁部とを結ぶ方向における各送風機の位置を平均した平均位置に、配置されている
ことを特徴とする請求項１記載の冷凍空調装置。
【請求項６】
前記第一壁部は前記本体ケースの後壁、前記第二壁部は前記本体ケースの側壁、前記第三壁部は前記本体ケースの前壁であり、
前記後壁及び前記側壁に設けられた前記吸込口から吸い込んだ空気を前記前壁に設けられた吹出口から吹き出す前方吹出型の請求項１〜請求項５のいずれか一項に記載の冷凍空調装置。
【発明の詳細な説明】
【技術分野】
【０００１】
本発明は、冷凍空調装置に関する。
【背景技術】
【０００２】
従来の冷凍空調装置としては、室外ユニットの背面パネル及び両側の側面パネルの内側に沿って形成された凝縮器と、この凝縮器と略同じ高さに設けられた送風機とを備え、送風機が動作することにより凝縮器に外気を通風できるようにしたものが提案されている（例えば、特許文献１参照）。
【先行技術文献】
【特許文献】
【０００３】
【特許文献１】特開２００５−２８２８８９号公報（第７頁、図４、図６）
【発明の概要】
【発明が解決しようとする課題】
【０００４】
ここで、上記特許文献１に記載の冷凍空調装置は、上下に配置された凝縮器及び熱源側熱交換器にそれぞれ対向して送風機も上下に設けられており、熱源側熱交換器に対向する送風機によって生じる風が凝縮器にも作用する構成となっているが、冷凍空調装置の本体ケース内が２つに区画されていて一方に凝縮器、他方に熱源側熱交換器が配置された冷凍空調装置もある。そのような２つに区画された本体ケース内の一方に凝縮器及び送風機を設けた冷凍空調装置において、上記特許文献１に記載の略コの字形状（略Ｕ字形状。一辺を除いた矩形。）に配置した凝縮器を採用すると、凝縮器の略コの字形状の角部分への距離は、送風機から凝縮器の他の部分への距離と比べて大きくなるため、この角部分において風が流れにくいという課題があった。すなわち、図８は略コの字形状に配置された凝縮器６０と送風機６２の配置の一例を示す図であるが、図８に符号６１で示す凝縮器６０の角部分は、送風機６２の吸引側との距離が相対的に大きいため、符号６１の部分においては風が流れにくく風速が低下し、熱交換効率が低下するという課題があった。
【０００５】
本発明は、上記のような課題を解決するためになされたものであり、熱交換器の熱交換効率を向上させることのできる冷凍空調装置を提供するものである。
【課題を解決するための手段】
【０００６】
本発明に係る冷凍空調装置は、第一壁部、前記第一壁部の両端に垂直に連なる第二壁部、及び前記第一壁部と対向する第三壁部を有し、前記第一壁部及び前記第二壁部に吸込口が形成された箱型の本体ケースと、前記吸込口から前記本体ケース内に空気を吸引する複数の送風機と、前記本体ケース内に設けられ、前記吸込口から前記送風機に至る空気の風路上に配置された熱交換器とを備え、前記熱交換器は、前記第一壁部の内側に沿って設けられ前記第一壁部よりも幅の狭い第一部分、及び前記第一部分の幅方向の両側それぞれから前記第三壁部に向かって延び、前記第一部分に対して鈍角に傾斜して配置された第二部分を有するものである。
【発明の効果】
【０００７】
本発明によれば、熱交換器は、第一壁部の内側に沿って設けられ第一壁部よりも幅の狭い第一部分、及びこの第一部分の幅方向の両側それぞれから第三壁部に向かって延び、第一部分に対して鈍角に傾斜して配置された第二部分を有する。このため、第一部分と第二部分とが成す角部分から送風機の吸引面までの距離を、第一部分と第二部分とが直角である従来の冷凍空調装置と比べて短くすることができ、角部分における風速の低下が抑制されて風速分布を均一に近づけることができる。したがって、熱交換器における熱交換効率を向上させることができる。
【図面の簡単な説明】
【０００８】
【図１】実施の形態１に係る冷凍空調装置の斜視図である。
【図２】実施の形態１に係る冷凍空調装置の背面図である。
【図３】実施の形態１に係る冷凍空調装置の上段部を示す図である。
【図４】実施の形態２に係る冷凍空調装置の上段部を示す図である。
【図５】実施の形態３に係る冷凍空調装置の上段部を示す図である。
【図６】実施の形態４に係る冷凍空調装置の上段部を示す図である。
【図７】実施の形態４に係る冷凍空調装置の送風機と凝縮器との配置を説明する図である。
【図８】略コの字形状に配置された凝縮器と送風機の配置の一例を示す図である。
【発明を実施するための形態】
【０００９】
以下、本発明に係る冷凍空調装置の実施の形態を、図面を参照して説明する。なお、以下の説明において、理解を容易にするために方向を表す用語（例えば「上」、「下」、「右」、「左」、「前」、「後」など）を適宜用いるが、これは説明のためのものであって、これらの用語は本願発明を限定するものではない。また、各図面では、同一又は対応する構成には、同一の符号を付している。また、以下に示す図面の形態によって本発明が限定されるものではない。
【００１０】
実施の形態１．
図１は、実施の形態１に係る冷凍空調装置の斜視図である。図２は、実施の形態１に係る冷凍空調装置の背面図である。図１及び図２を参照して、実施の形態１に係る冷凍空調装置１の構成を説明する。
冷凍空調装置１は、例えば直方体の箱型の本体ケース１０を備えている。本体ケース１０内には、冷凍サイクルに必要な要素部品が収容されている。本体ケース１０の内部は、上下２段に区画されており、下側の空間を下段部１１、上側の空間を上段部１２と称する。上段部１２には、送風機２０と凝縮器として機能する熱交換器（図１、図２には図示せず）とが設けられている。下段部１１には、圧縮機、電子膨張弁、冷却器として機能する熱交換器等の冷凍サイクルに必要な要素部品、制御基盤、及びインバータ等が格納されている。制御基盤及びインバータは、雨等に濡れないように例えばカバーで覆われ、あるいは機械室に収容されている。なお、本実施の形態１では、上段部１２に設けられた熱交換器が凝縮器として機能し、下段部１１に設けられた熱交換器が冷却器として機能する場合を例に説明する。これ以降の説明では、上段部１２に設けられた熱交換器を凝縮器３０（図３参照）と称し、下段部１１に設けられた熱交換器（図示せず）を冷却器と称する。
【００１１】
本体ケース１０は、後壁１３と、後壁１３の両端に垂直に連なる左右の側壁１４と、後壁１３に対向する前壁１５とを備える。なお、後壁１３と左右の側壁１４とが「垂直」であるとは、例えば製造上生じる誤差を含んでいてもよいものとし、また、後壁１３と側壁１４とが交わる角部分が丸められていてもよいものとする。後壁１３には、図２に示すように、保護網で覆われた吸込口１６が設けられている。また、側壁１４にも、図１に示すように、保護網で覆われた吸込口１６が設けられている。なお、図１では右側の側壁１４及び吸込口１６が図示されているが、左側にも同様の側壁１４及び吸込口１６が設けられている。前壁１５には、送風機２０から送出される風を本体ケース１０の外へ流出させる吹出口１７が形成されている。この吹出口１７には、図示しない保護網が取り付けられている。吹出口１７の径方向内側に、送風機２０の吐出面が配置されている。
【００１２】
図３は、実施の形態１に係る冷凍空調装置の上段部を示す図であり、図１のＡ−Ａ線における概略断面図である。図３には、送風機２０が動作することによって生じる空気の流れを矢印４１、４２、４３で概念的に示している。
【００１３】
送風機２０は、プロペラファン及びこのプロペラファンを駆動するファンモータを有する軸流ファンである。ここで、送風機２０の空気を吸い込む側の面を吸引面といい、空気を吹き出す側の面を吐出面という。これら複数の送風機２０はすべて、その吸引面を本体ケース１０の後壁１３に向けて設置されている。送風機２０の吐出面は、本体ケース１０の前壁１５に形成された吹出口１７から本体ケース１０の外へ突出している。また、本実施の形態１では、本体ケース１０の幅方向（図３の紙面左右方向）に、４つの送風機２０が一列に配置されている。なお、図３では図示しないが、図１において上段側に設けられた４つの送風機２０も、本体ケース１０の幅方向に一列に配置されている。
【００１４】
本体ケース１０の内部であって、後壁１３及び側壁１４の内側には、凝縮器３０が設けられている。凝縮器３０は、例えばフィンチューブ型の熱交換器であり、後壁１３と対向する後部３１と、後部３１の幅方向両端から前壁１５に向かって延びる側部３２とを有する。後部３１は後壁１３よりも幅寸法が小さい。側部３２は、前壁１５側の端部に対して後壁１３側の端部の方が側壁１４から離れる方向、すなわち前壁１５側から後壁１３側に向かって本体ケース１０の内側へ傾いている。側部３２は、後部３１に対して鈍角に傾斜しており、後部３１の内面と側部３２の内面との成す角は鈍角となっている。したがって、図３に示すように、本体ケース１０の後壁１３と側壁１４とが連なる角の内側には、凝縮器３０が設けられておらず、本実施の形態１の凝縮器３０は、図８に例示した凝縮器６０の角部分をカットした形状である。
【００１５】
なお、本実施の形態１では、後部３１及び両側の側部３２は、それぞれ別々の凝縮器として製作されており、厳密には後部３１の両端部と側部３２とは連なっていないが、本発明は図３に示すように後部３１及び側部３２を別々の熱交換器として製作したものも含むものとする。また、本発明は、後部３１及び側部３２を一体として製作したものも含むものとする。
【００１６】
なお、本体ケース１０の後壁１３は、本発明の本体ケースの第一壁部に相当する。
また、本体ケース１０の側壁１４は、本発明の本体ケースの第二壁部に相当する。
また、本体ケース１０の前壁１５は、本発明の本体ケースの第三壁部に相当する。
また、凝縮器３０は、本発明の熱交換器に相当する。
また、凝縮器３０の後部３１は、本発明の熱交換器の第一部分に相当する。
また、凝縮器３０の側部３２は、本発明の熱交換器の第二部分に相当する。
【００１７】
次に、実施の形態１に係る冷凍空調装置１内の空気の流れについて、図３を参照して説明する。送風機２０が動作すると、本体ケース１０の後壁１３及び側壁１４に形成された吸込口１６から本体ケース１０内へ空気が吸い込まれる（図３に示す矢印４１及び矢印４２）。図３に示す４つの送風機２０のうち中央の２つの送風機２０は、その吸引面が凝縮器３０の後部３１と対面しており、これら中央の２つの送風機２０には、矢印４１で示すように後壁１３の吸込口１６から吸い込まれて凝縮器３０の後部３１を通過した空気が主に吸引される。また、左右両端に配置された２つの送風機２０は、その吸引面が主に凝縮器３０の側部３２に対面しており、これら両端の２つの送風機２０には、矢印４２で示すように、後壁１３及び側壁１４の吸込口１６から吸い込まれて凝縮器３０の側部３２を通過した空気が主に吸引される。吸込口１６から本体ケース１０内に吸い込まれた空気は、凝縮器３０を通過する際に凝縮器３０と熱交換し、送風機２０に送出され、矢印４３で示すように吹出口１７から本体ケース１０の外へ流出する。
【００１８】
本実施の形態１では、凝縮器３０の後部３１の幅を本体ケース１０の後壁１３の幅よりも小さく構成するとともに、後部３１に対して凝縮器３０の側部３２を鈍角に傾斜させた。このため、後部３１と側部３２とが成す鈍角部分から送風機２０の吸引面までの距離を、図８に例示した凝縮器の直角の角部分（符号６１）から送風機２０までの距離と比べて短くすることができる。したがって、凝縮器３０の後部３１と側部３２とが形成する角部分における風速の低下を抑制することができ、風速分布を均一に近づけることができる。風速分布を均一に近づけることができるため、図８に例示した凝縮器と比べて熱交換効率を向上させることができる。凝縮器３０の熱交換効率を向上させることができるため、送風機２０の回転率を低下させることが可能となり、送風機２０の回転に伴う騒音及び消費電力を低減させることができる。また、凝縮器３０のサイズを図８に例示した凝縮器と比べて小さくすることができるので、製造コストを削減することができる。
【００１９】
実施の形態２．
本実施の形態２では、各送風機２０の吸引面と凝縮器３０との距離が同じになるように構成した例を説明する。なお、本実施の形態２では、特に言及しない事項については実施の形態１と同様であるものとし、実施の形態１との相違点を中心に説明する。
【００２０】
図４は、実施の形態２に係る冷凍空調装置の上段部を示す図であり、図１のＡ−Ａ線における概略断面図である。図４には、送風機２０が動作することによって生じる空気の流れを矢印４１、４２、４３で概念的に示している。
【００２１】
本実施の形態２では、実施の形態１と同様に、凝縮器３０の側部３２は、後部３１に対して鈍角に傾斜している。
本実施の形態２の凝縮器３０の後部３１の幅は、本体ケース１０の幅方向（図４の紙面左右方向）に並べられた複数の送風機２０の吸引面全体の幅とほぼ同じである。すなわち、凝縮器３０の後部３１の内面を含む面上に、複数の送風機２０の吸引面を投影した領域が、後部３１の内面の領域の範囲内となるように送風機２０が配置されている。また、各送風機２０（図４に示す４つの送風機２０）は本体ケース１０の幅方向に一列に配置されており、各送風機２０と凝縮器３０との距離（図４に矢印５０で示す）は、すべて等しい。
【００２２】
このような構成において、送風機２０が動作すると、本体ケース１０の後壁１３及び側壁１４に形成された吸込口１６から本体ケース１０内へ空気が吸い込まれる（図４に示す矢印４１及び矢印４２）。各送風機２０は、その吸引面が凝縮器３０の後部３１と対面しており、これら各送風機２０には、矢印４１で示すように後壁１３の吸込口１６から吸い込まれて凝縮器３０の後部３１を通過した空気が主に吸引される。また、主に左右両端に配置された送風機２０には、本体ケース１０の側壁１４に形成された吸込口１６から吸い込まれて凝縮器３０の側部３２を通過した空気も吸い込まれる。
【００２３】
本実施の形態２では、各送風機２０から凝縮器３０（後部３１）までの距離が同じであるため、本体ケース１０内における風速分布をより均一に近づけることができる。風速分布を均一に近づけることができるため、凝縮器３０における熱交換効率を向上させることができる。凝縮器３０の熱交換効率を向上させることができるため、送風機２０の回転率を低下させることが可能となり、送風機２０の回転に伴う騒音及び消費電力を低減させることができる。
【００２４】
なお、図４に示した例では、本体ケース１０の後壁１３と凝縮器３０の後部３１との間に、図３に示した例よりも大きな隙間を設けた例を示したが、後壁１３と後部３１との距離は図４に示した例に限定されない。後壁１３と凝縮器３０の後部３１とを、図３のように近づけて配置してもよく、本実施の形態２と同様の作用効果を得ることができる。
【００２５】
また、本実施の形態２では、実施の形態１と同様に送風機２０の吐出面を本体ケース１０の外側に配置した構成例を示したが、送風機２０を、吐出面を含めすべて本体ケース１０内に配置してもよい。送風機２０の吐出面を含め送風機２０全体を本体ケース１０の内部に配置したものと、実施の形態１のように送風機２０の吐出面を本体ケース１０の外側に露出させたものとについて気流解析を行った結果、前者は後者よりも風速が上昇することがわかった。風速が上昇するため、凝縮器３０における熱交換効率を向上させることができる。
【００２６】
実施の形態３．
本実施の形態３では、各送風機２０の吸引面と凝縮器３０との距離が同じになるように構成した他の構成例を説明する。なお、本実施の形態３では、特に言及しない事項については実施の形態１と同様であるものとする。また、本実施の形態３では、実施の形態２との相違点を中心に説明する。
【００２７】
図５は、実施の形態３に係る冷凍空調装置の上段部を示す図であり、図１のＡ−Ａ線における概略断面図である。図５には、送風機２０が動作することによって生じる空気の流れを矢印４１、４２、４３で概念的に示している。
【００２８】
本実施の形態３では、実施の形態１と同様に、凝縮器３０の側部３２は、後部３１に対して鈍角に傾斜している。
【００２９】
本実施の形態３は、各送風機２０（図５に示す４つの送風機２０）と凝縮器３０との距離（図５に矢印５１で示す）が、すべて等しいという点では実施の形態２と同様であるが、それを実現するための構成が実施の形態２とは異なる。具体的には、本実施の形態２では、４つの送風機２０のうち中央の送風機２０（図５及び本実施の形態３のこれ以降の説明において送風機２０ａと称する）の吸引面は、凝縮器３０の後部３１と対面している。一方、左右両端の送風機２０（図５及び本実施の形態３のこれ以降の説明において送風機２０ｂと称する）の吸引面は、凝縮器３０の側部３２と対面している。実施の形態２とは異なり、凝縮器３０の後部３１の内面を含む面上に送風機２０ａ及び送風機２０ｂの吸引面を投影した場合、送風機２０ａの吸引面を投影した領域は後部３１の内面の領域内であるものの、送風機２０ｂの吸引面を投影した領域は後部３１の内面の領域からはみ出している。
【００３０】
そして、送風機２０ａは、送風機２０ｂよりも、本体ケース１０の内部に入り込んだ位置に配置されている。すなわち、送風機２０ａと送風機２０ｂとは、本体ケース１０の奥行き方向（図５の紙面上下方向）に異なる位置に配置されており、送風機２０ａは、送風機２０ｂよりも本体ケース１０の後壁１３に近い位置に配置されている。送風機２０ａから凝縮器３０（後部３１）までの距離と、送風機２０ｂから凝縮器３０（側部３２）までの距離は、すべて等しい。
【００３１】
このような構成において、送風機２０ａ、２０ｂが動作すると、本体ケース１０の後壁１３及び側壁１４に形成された吸込口１６から本体ケース１０内へ空気が吸い込まれる（図５に示す矢印４１及び矢印４２）。送風機２０ａは、その吸引面が凝縮器３０の後部３１と対面しており、送風機２０ａには、矢印４１で示すように後壁１３の吸込口１６から吸い込まれて凝縮器３０の後部３１を通過した空気が主に吸引される。また、送風機２０ｂは、その吸引面が凝縮器３０の側部３２と対面しており、送風機２０ｂには、矢印４２で示すように、後壁１３及び側壁１４の吸込口１６から吸い込まれて凝縮器３０の側部３２を通過した空気が主に吸引される。
【００３２】
本実施の形態３では、各送風機２０ａ、２０ｂから凝縮器３０までの距離が同じであるため、本体ケース１０内における風速分布をより均一に近づけることができる。風速分布を均一に近づけることができるため、凝縮器３０における熱交換効率を向上させることができる。
また、本実施の形態３では、送風機２０ｂは主に凝縮器３０の側部３２を通過した空気を吸引するため、実施の形態２で示した例よりも凝縮器３０の側部３２における伝熱面積を拡大することができる。したがって、本実施の形態３によれば、実施の形態２よりも凝縮器３０の熱交換能力を向上させることができる。
凝縮器３０の熱交換効率を向上させることができるため、送風機２０ａ、２０ｂの回転数を低下させることが可能となり、送風機２０ａ、２０ｂの回転に伴う騒音及び消費電力を低減させることができる。
【００３３】
実施の形態４．
本実施の形態４では、送風機２０と凝縮器３０の他の配置例を説明する。なお、本実施の形態４では、特に言及しない事項については実施の形態１と同様であるものとする。また、本実施の形態４では、実施の形態１〜３との相違点を中心に説明する。
【００３４】
図６は、実施の形態４に係る冷凍空調装置の上段部を示す図であり、図１のＡ−Ａ線における概略断面図である。図６には、送風機２０が動作することによって生じる空気の流れを矢印４１、４２、４３で概念的に示している。
【００３５】
本実施の形態４では、実施の形態１と同様に、凝縮器３０の側部３２は、後部３１に対して鈍角に傾斜している。そして、送風機２０は、実施の形態１及び実施の形態２と同様に、本体ケース１０の幅方向に一列に並んでいる。すなわち、すべての送風機２０は、本体ケース１０の奥行き方向（図６の紙面上下方向）において同じ位置に並んでいる。しかし、各送風機２０と凝縮器３０との距離が、実施の形態１〜３とは異なる。
【００３６】
各送風機２０と凝縮器３０との距離は、次のようにして決定される。図７は、実施の形態４に係る冷凍空調装置の送風機と凝縮器との配置を説明する図である。図７では、複数の送風機２０を、それぞれ、送風機２０ｃ、２０ｄ、２０ｅ、２０ｆと区別して示している。
まず、図７（Ａ）に示すように、複数の送風機２０のうちいずれか一つ以上と凝縮器３０の後部３１とが対面し、送風機２０のいずれか一つ以上と側部３２とが対面するように、かつ各送風機２０から凝縮器３０（後部３１又は側部３２）までの距離が同一となるように、すべての送風機２０を配置したと仮定する。なお、図７（Ａ）に示す配置は、実施の形態３の図５に示したものと同じである。図７（Ａ）の例では、送風機２０ｃ及び送風機２０ｆが後部３１と対面し、送風機２０ｄ及び送風機２０ｅが側部３２と対面するように配置されている。このように配置した場合における、後壁１３から前壁１５へ向かう方向にて送風機２０ｃ、２０ｄ、２０ｅの位置（図７の符号５２、５３参照）を平均した平均位置（符号５４）に、すべての送風機２０を配置する（図７（Ｂ）参照）。すべての送風機２０は、本体ケース１０の幅方向（図７の紙面左右方向）に一列に配置され、本体ケース１０の後壁１３から各送風機２０までの距離はすべて同じである。本実施の形態４の送風機２０は、実施の形態１の図３で示したものと比べて、本体ケース１０の内部に押し込まれた状態で配置される。
【００３７】
次に、本実施の形態４の冷凍空調装置１の動作及び作用を、図６を参照して説明する。
送風機２０が動作すると、本体ケース１０の後壁１３及び側壁１４に形成された吸込口１６から本体ケース１０内へ空気が吸い込まれる（図６に示す矢印４１及び矢印４２）。凝縮器３０の後部３１と対面する送風機２０には、矢印４１で示すように後壁１３の吸込口１６から吸い込まれて凝縮器３０の後部３１を通過した空気が主に吸引される。また、凝縮器３０の側部３２と対面した送風機２０には、矢印４２で示すように後壁１３及び側壁１４に設けられた吸込口１６から吸い込まれて凝縮器３０の側部３２を通過した空気が主に吸引される。
【００３８】
本実施の形態４では、すべての送風機２０を本体ケース１０の幅方向に一列に配置して送風機２０の吐出面の位置を揃えたので、各送風機２０は隣あう送風機２０からの風の影響を受けにくく、実施の形態３よりも安定した送風を行うことができる。また、本実施の形態４では、凝縮器３０の後部３１に対面する送風機２０と側部３２に対面する送風機２０の両方を設けた。さらに、凝縮器３０（後部３１又は側部３２）からの距離が等しくなるように配置した場合の、後壁１３から前壁１５へ向かう方向における各送風機２０の位置を平均した平均位置に、すべての送風機２０を幅方向に一列に配置した。このため、各送風機２０から凝縮器３０までの距離はすべて同じではないものの、例えば実施の形態１と比べるとその距離は近い値となるため、風速分布を均一に近づけることができる。また、凝縮器３０の後部３１を通過した空気を吸引する送風機２０と、側部３２を通過した空気を吸引する送風機２０の両方を設けているので、実施の形態２のようにすべての送風機２０を凝縮器３０の後部３１と対面させた場合よりも凝縮器３０の熱交換能力を向上させることができる。このように、本実施の形態４によれば、複数の送風機２０の吐出面を一列に配置することによる送風の安定性向上、各送風機２０から凝縮器３０までの距離の偏りを低減することによる風速分布の均一性向上、及び凝縮器３０の後部３１及び側部３２の両方に空気を積極的に通過させることによる凝縮器３０の伝熱面積の確保、という効果を得ることができる。
【００３９】
また、本実施の形態４のように送風機２０の吐出面を含め送風機２０全体を本体ケース１０の内部に配置したものと、実施の形態１のように送風機２０の吐出面を本体ケース１０の外側に露出させたものとについて気流解析を行った結果、本実施の形態４のように送風機２０を本体ケース１０内に設置すると、実施の形態１と比べて風速を上昇させることができることがわかった。このように風速を上昇させることができるため、凝縮器３０における熱交換効率を向上させることができ、送風機２０の回転率を低下させることが可能となり、送風機２０の回転に伴う騒音及び消費電力を低減させることができる。
【００４０】
なお、上記実施の形態１〜４では、複数の送風機２０を上下２段に配置した構成例を示したが、送風機２０の上下方向の配置はこれに限定されず、送風機２０を上下１段あるいは上下３段以上に配置してもよい。また、送風機２０の数は、冷凍空調装置１が必要とする風量に応じて決定すればよく、図示のものに限定されない。
【００４１】
また、上記実施の形態１〜４では、本体ケース１０の後壁１３及び側壁１４の吸込口１６から前壁１５の吹出口１７へ空気が概ね水平方向に流れる例を示したが、これに限らない。例えば、本体ケース１０内を概ね垂直に流れるように上記実施の形態で示した構成の向きを変え、本体ケース１０の上壁及び側壁に設けた吸込口１６から吸い込まれた空気が本体ケース１０の下壁に設けた吹出口１７（ただし、本体ケース１０の下壁と床面との間には通風可能な隙間を設けておく）へ流れるようにしてもよい。
【符号の説明】
【００４２】
１  冷凍空調装置、１０  本体ケース、１１  下段部、１２  上段部、１３  後壁、１４  側壁、１５  前壁、１６  吸込口、１７  吹出口、２０  送風機、３０  凝縮器、３１  後部、３２  側部、６０  凝縮器。
【図１】
2014134359.tif 000003
【図２】
2014134359.tif 000004
【図３】
2014134359.tif 000005
【図４】
2014134359.tif 000006
【図５】
2014134359.tif 000007
【図６】
2014134359.tif 000008
【図７】
2014134359.tif 000009
【図８】
2014134359.tif 000010